(57)【特許請求の範囲】
【請求項１】
電話回線を介したパスワード入力に応じて所定の機能を実行する通信端末装置において、電話回線を通じて到来する複数の発信元番号それぞれに対応する機能を登録しておく手段と、到来した発信元番号と予め登録しておいた発信元番号とを照合する手段と、両番号が一致した場合にその発信元番号を前記パスワードと見なしてその発信元番号に対応する前記機能を実行する手段と、一致しないまたは発信元番号が到来しない場合に前記パスワードを発信元に要求する手段とを備えており、登録しておく発信元番号と機能とが、Ｎ対１または１対Ｎ（Ｎは２以上の整数）で対応していることを特徴とする通信端末装置。
【請求項２】
電話回線を介したパスワード入力に応じて所定の機能を実行する通信端末装置において、電話回線を通じて到来する複数の発信元番号及び電話回線を介して入力される複数のパスワードそれぞれに対応する機能を登録しておく手段と、到来した発信元番号と予め登録しておいた発信元番号とを照合する手段と、両番号が一致し、しかも、予め登録しておいたパスワードが入力された場合に、前記発信元番号及び前記パスワードに対応する前記機能を実行する手段とを備えており、登録しておく発信元番号及びパスワードと機能とが、Ｎ対１または１対Ｎ（Ｎは２以上の整数）で対応していることを特徴とする通信端末装置。
【発明の詳細な説明】
【０００１】
【発明の属する技術分野】
本発明は、留守番電話機，ファクシミリ装置等の通信端末装置に関し、特に、外部からの電話回線を介したパスワード入力に応じて所定の機能を実行する通信端末装置に関する。
【０００２】
【従来の技術】
近年、留守番電話機，ファクシミリ装置等の通信端末装置には各種の機能が付設されている。例えば、留守番電話機には、留守中に録音されたメッセージを外部から取り出すメッセージモニタ機能が付設され、ファクシミリ装置には留守中に蓄積された画像データを外部から取り出すリモート取り出し機能が付設されている。また、通信端末装置の内部仕様の設定を外部から変更できる機能も付設されている。このような所定の機能を外部から利用する場合には、ＤＴＭＦ（Dial Tone Multi-Frequency)信号でパスワードを通信端末装置へ送信する必要がある。
【０００３】
【発明が解決しようとする課題】
上述した従来のシステムでは、パスワードを覚えておきそのパスワードを送信しなければならず、操作が面倒であると共に、パスワードを忘れた場合には所定の機能を外部から利用できないという問題がある。また、パスワードが他人に知られると無断でその他人が所定の機能を利用することができ、不正利用に対する安全性の点で問題がある。
【０００４】
本発明は斯かる事情に鑑みてなされたものであり、取得した発信元番号をパスワードと見なすことにより、パスワードを覚えておく必要がなく、極めて簡易に所定の機能を外部から利用することができる通信端末装置を提供することを目的とする。
【０００５】
本発明の他の目的は、発信元番号の照合とパスワード入力とを併用することにより、安全性を更に高めることができる通信端末装置を提供することにある。
【０００６】
本発明の更に他の目的は、所定の機能と発信元番号とを１対１，複数対１または１対複数で対応させることにより、機能選択のための操作が不要となる通信端末装置を提供することにある。
【０００７】
【課題を解決するための手段】
請求項１に係る通信端末装置は、電話回線を介したパスワード入力に応じて所定の機能を実行する通信端末装置において、電話回線を通じて到来する複数の発信元番号それぞれに対応する機能を登録しておく手段と、到来した発信元番号と予め登録しておいた発信元番号とを照合する手段と、両番号が一致した場合にその発信元番号を前記パスワードと見なしてその発信元番号に対応する前記機能を実行する手段と、一致しないまたは発信元番号が到来しない場合に前記パスワードを発信元に要求する手段とを備えており、登録しておく発信元番号と機能とが、Ｎ対１または１対Ｎ（Ｎは２以上の整数）で対応していることを特徴とする。
【０００８】
請求項２に係る通信端末装置は、電話回線を介したパスワード入力に応じて所定の機能を実行する通信端末装置において、電話回線を通じて到来する複数の発信元番号及び電話回線を介して入力される複数のパスワードそれぞれに対応する機能を登録しておく手段と、到来した発信元番号と予め登録しておいた発信元番号とを照合する手段と、両番号が一致し、しかも、予め登録しておいたパスワードが入力された場合に、前記発信元番号及び前記パスワードに対応する前記機能を実行する手段とを備えており、登録しておく発信元番号及びパスワードと機能とが、Ｎ対１または１対Ｎ（Ｎは２以上の整数）で対応していることを特徴とする。
【００１０】
本発明の通信端末装置にあっては、取得した発信元番号と予め登録しておいた番号とが一致するか否かを判断する。なお、この発信元番号として、例えば、電話会社の発信元番号通知サービスを利用して交換機から通知される番号を取得する。そして、取得した発信元番号と登録しておいた番号とが一致する場合には、この取得した発信元番号を、所定の機能を実行するためのパスワードと見なし、その所定の機能を外部から利用できるようにする。このようにすることにより、パスワードを覚えていてそれを入力するという煩雑な操作を行うことなく、極めて簡易に所定の機能を外部から利用できる。なお、両番号が一致しない場合には、パスワードを要求し、パスワード入力時にも所定の機能を外部から利用できることは勿論である。
【００１１】
本発明の通信端末装置にあっては、取得した発信元番号と予め登録しておいた番号とが一致するか否かを判断し、両番号が一致し、しかも更に正しいパスワードが入力された場合に、外部から所定の機能を利用できるようにする。このようにすることにより、二重の照合が必要となり、より安全性が向上する。
【００１２】
本発明の通信端末装置にあっては、登録する各番号に１または複数の所定の機能を割り当てておくか、または、所定の各機能に１または複数の登録する番号を割り当てておく。よって、取得した発信元番号がその登録されている番号に一致した場合、利用したい機能を選択する操作を行うことなく、その番号に割り当てられた所定の機能を利用することができる。
【００１３】
【発明の実施の形態】
以下、本発明をその実施の形態を示す図面に基づいて具体的に説明する。
図１は、本発明に係る通信端末装置の一例である留守番電話機の構成を示すブロック図である。図１において、具体的にはＣＰＵで構成されている主制御部１は、後述するハードウェア各部と接続されていて、それらを制御すると共に、種々のソフトウェア的機能を実行する。
【００１４】
電話回線１０に接続された着信検出回路２は、外部からの着信を検出して主制御部１へ通知する。電話回線１０に設けられたＣＭＬリレー３は、主制御部１からの指示により電話回線１０の閉結，開放を制御する。
【００１５】
操作パネル４は、留守番電話機を操作するために必要な文字キー, テンキー (数字キー），短縮ダイヤルキー, ワンタッチダイヤルキー, 各種のファンクションキー等を備えている。表示部５は、例えば液晶表示装置（ＬＣＤ）からなり、操作パネル４による入力結果、留守番電話機の動作状態等を表示する。
【００１６】
記憶媒体６は、例えば磁気テープからなり、留守番機能が設定されている間に相手先から受信したメッセージを記憶する。ＲＡＭ７は、ＳＲＡＭまたはフラッシュメモリ等で構成され、ソフトウェアの実行時に発生する一時的なデータを記憶する。ＲＯＭ１５は、留守番電話機の動作に必要な種々のソフトウェアのプログラムを予め格納している。
【００１７】
受話器（図示せず）に内蔵されたスピーカ１１及びマイク１２が音声処理ネットワーク１３に接続され、音声処理ネットワーク１３はＡ／Ｄ変換器８とＤ／Ａ変換器９とを介して主制御部１に接続されている。また、スピーカ１１及びマイク１２を有するハンドセット（受話器）の状態（オンフックまたはオフフック）を検出するオフフック検出部１４が主制御部１に接続されている。留守番機能が設定されている際に、相手先から送られたメッセージは電話回線１０，ＣＭＬリレー３を介して音声処理ネットワーク１３に取り込まれ、Ａ／Ｄ変換器８へ送られる。Ａ／Ｄ変換器８はアナログ信号である音声信号をディジタル信号に変換し、ディジタル信号に変換されたメッセージは主制御部１を通じて記憶媒体６に記憶される。記憶したメッセージを再生する場合には、ディジタル化されたメッセージが記憶媒体６から主制御部１を通じてＤ／Ａ変換器９に読み出されてアナログ化され、音声処理ネットワーク１３を介してスピーカ１１から出力される。
【００１８】
この留守番電話機には、留守中に記憶媒体６に記憶されたメッセージをユーザが外部から取り出すメッセージモニタ機能が付設されており、後述するように、登録された発信元番号を検出した場合、及び／または、特定のパスワードが入力された場合、その記憶媒体６内のメッセージを読み出してＤ／Ａ変換器９でアナログ化し、電話回線１０を介して発信元（ユーザ）へ送信するようになっている。また、この留守番電話機には、外部から内部仕様を設定する仕様設定機能、外部から内部仕様を変更する仕様変更機能も付設されている。
【００１９】
このような所定の機能と発信元番号とパスワードとの間係を表す図２（ａ）〜（ｃ）の何れかに示すような対応テーブル７ａが、ＲＡＭ７の適宜の領域に予め格納されている。この対応テーブル７ａは、ユーザ操作により消去・更新・追加が可能である。図２（ａ）は、所定の機能と発信元番号及びパスワードとが１対１で対応している例を示し、図２（ｂ）は、１つの所定の機能に対して複数の発信元番号及びパスワードが対応している例を示し、図２（ｃ）は、１つの発信元番号及びパスワードに対して複数の所定の機能が対応している例を示している。
【００２０】
図３は、本発明に係る通信端末装置の他の例であるファクシミリ装置の構成を示すブロック図であり、このファクシミリ装置は、Ｇ３方式及びＧ４方式のファクシミリ通信機能を有する。
【００２１】
図３において主制御部２１は具体的にはＣＰＵで構成されており、バス４０を介して以下に説明するハードウェア各部と接続されていて、それらを制御すると共に、種々のソフトウェア的機能を実行する。スキャナ２２は例えばＣＣＤを利用して送信用の原稿を読み取り、コーデック部２３を介して白黒２値に変換した圧縮イメージデータが出力される。プリンタ２４は例えば電子写真方式等のプリンタ装置であり、コーデック部２５を介して入力されるファクシミリ通信により受信した画像データをハードコピーとして用紙に印字する。
【００２２】
ＲＯＭ２６は、ファクシミリ装置の動作に必要な種々のソフトウェアのプログラムを予め格納している。ＲＡＭ２７は、ＳＲＡＭまたはフラッシュメモリ等で構成され、ソフトウェアの実行時に発生する一時的なデータを記憶する。
【００２３】
画像メモリ２８は、ＤＲＡＭ等で構成され、送信すべき画像データまたは受信した画像データを格納する。表示部２９は、液晶表示装置（ＬＣＤ）またはＣＲＴディスプレイ等の表示装置であり、ファクシミリ装置の動作状態を表示したり、送信すべき原稿の画像データ，受信した画像データの表示を行う。操作パネル３０は、ファクシミリ装置を操作するために必要な文字キー, テンキー (数字キー），短縮ダイヤルキー, ワンタッチダイヤルキー, 各種のファンクションキー等を備えている。コーデック部３１は、通信用のデータ変換を行う。
【００２４】
Ｇ３モデム３２は、画像データとアナログ音声信号との相互交換を行い、ＮＣＵ（Network Control Unit：回線制御装置）３３は、アナログデータ回線であるＰＳＴＮ回線４１の閉結及び開放の動作を制御し、必要に応じてＧ３モデム３２をＰＳＴＮ回線４１と接続する。
【００２５】
Ｇ３モデム３４は、画像データとアナログ音声信号との相互交換を行い、音声コーデック部３５は、アナログ音声信号とデジタルデータとの相互交換を行い、ＩＳＤＮインタフェイス部３６は、デジタルデータ回線であるＩＳＤＮ回線４２とのインタフェイス機能を司る。ＩＳＤＮインタフェイス部３６はＳ−interface 機能とＬＡＰ−Ｄ機能とで構成されている。Ｓ−interface は、Ｓ点のインタフェイスを意味しており、プロトコル処理機能, 保守機能, インタフェイス機能を含む。ＬＡＰ−Ｄ機能はＩＳＤＮのＤチャンネル用のプロトコルを制御する。ＬＡＰ−Ｂ機能部３７は、ＩＳＤＮのＢチャンネル用のプロトコルを制御して実際のデータ通信を行う。
【００２６】
このファクシミリ装置には、留守中に画像メモリ２８に格納された画像データをユーザが外部から取り出すリモート取り出し機能が付設されており、後述するように、登録された発信元番号を検出した場合、及び／または、特定のパスワードが入力された場合、その画像メモリ２８内の画像データを読み出し、Ｇ３モデム３２によるアナログ音声信号への変換後にＰＳＴＮ回線４１を介して、または、Ｇ３モデム３４及び音声コーデック部３５によるデジタルデータへの変換後にＩＳＤＮ回線４２を介して、発信元（ユーザ）へ送信するようになっている。また、このファクシミリ装置には、外部から内部仕様を設定する仕様設定機能、外部から内部仕様を変更する仕様変更機能も付設されている。
【００２７】
このような所定の機能と発信元番号とパスワードとの間係を表す図４（ａ）〜（ｃ）の何れかに示すような対応テーブル２７ａが、ＲＡＭ２７の適宜の領域に予め格納されている。この対応テーブル２７ａは、ユーザ操作により消去・更新・追加が可能である。図４（ａ）は、所定の機能と発信元番号及びパスワードとが１対１で対応している例を示し、図４（ｂ）は、１つの所定の機能に対して複数の発信元番号及びパスワードが対応している例を示し、図４（ｃ）は、１つの発信元番号及びパスワードに対して複数の所定の機能が対応している例を示している。
【００２８】
次に、動作について説明する。図５は、本発明の第１例（請求項１に相当）における動作手順を示すフローチャートである。上述したような構成の留守番電話機またはファクシミリ装置に外線が着信された場合（ステップＳ１：ＹＥＳ）、電話会社が行う発信元番号通知サービスを利用して、呼び出し時に交換機から通知される発信元番号を取得する（ステップＳ２）。そして、その回線を閉結する（ステップＳ３）。
【００２９】
取得した発信元番号が、対応テーブル７ａまたは２７ａに登録されている発信元番号の何れかに一致するか否かを判断する（ステップＳ４）。一致する場合には（Ｓ４：ＹＥＳ）、その発信元番号に対応する１または複数の所定の機能を実行する（ステップＳ５）。つまり、留守番電話機である場合には、対応テーブル７ａを参照して、発信元番号に対応する機能（メッセージモニタ機能，仕様設定機能，仕様変更機能のうちの１または複数の機能）を実行する。ファクシミリ装置である場合には、対応テーブル２７ａを参照して、発信元番号に対応する１または複数の所定の機能（リモート取り出し機能，仕様設定機能，仕様変更機能のうちの１または複数の機能）を実行する。この際、図２，図４の（ａ）及び（ｂ）に示すような対応テーブル７ａ，２７ａが設定されている場合には、その発信元番号に合った１つの所定の機能を実行する。一方、図２，図４の（ｃ）に示すように１つの発信元番号に対して複数の所定の機能が対応しているような対応テーブル７ａ，２７ａが設定されている場合、その発信元番号に合った複数の所定の機能を一連的に行っても良いし、それらの複数の機能から選択した機能のみを行うようにしても良い。この１または複数の所定の機能を実行した後、回線を開放して（ステップＳ６）、処理は終了する。
【００３０】
取得した発信元番号が登録されている発信元番号の何れにも一致しない場合には（Ｓ４：ＮＯ）、パスワードを要求する（ステップＳ７）。対応テーブル７ａまたは２７ａに登録されているパスワードが入力されたか否かを判断する（ステップＳ８）。そして、特定のパスワードが入力されたときには（Ｓ８：ＹＥＳ）、発信元番号が一致した場合と同様に、そのパスワードに対応する所定の機能を実行した後（Ｓ５）。回線を開放して（Ｓ６）、処理は終了する。
【００３１】
なお、特定のパスワードが入力されないときには（Ｓ８：ＮＯ）、何れの機能も実行せずにその回線を開放して（Ｓ６）、処理は終了する。
【００３２】
図６は、本発明の第２例（請求項２に相当）における動作手順を示すフローチャートである。上述したような構成の留守番電話機またはファクシミリ装置に外線が着信された場合（ステップＳ１１：ＹＥＳ）、電話会社が行う発信元番号通知サービスを利用して、呼び出し時に交換機から通知される発信元番号を取得する（ステップＳ１２）。そして、その回線を閉結する（ステップＳ１３）。
【００３３】
取得した発信元番号が、対応テーブル７ａまたは２７ａに登録されている発信元番号の何れかに一致するか否かを判断する（ステップＳ１４）。一致する場合には（Ｓ１４：ＹＥＳ）、パスワードを要求する（ステップＳ１５）。そして、対応テーブル７ａまたは２７ａに登録されているパスワードが入力されたか否かを判断する（ステップＳ１６）。対応テーブル７ａまたは２７ａに登録されている特定のパスワードが入力された場合には（Ｓ１６：ＹＥＳ）、その発信元番号及びパスワードに対応する１または複数の所定の機能を実行する（ステップＳ１７）。つまり、留守番電話機である場合には、対応テーブル７ａを参照して、発信元番号に対応する機能（メッセージモニタ機能，仕様設定機能，仕様変更機能のうちの１または複数の機能）を実行する。ファクシミリ装置である場合には、対応テーブル２７ａを参照して、発信元番号に対応する機能（リモート取り出し機能，仕様設定機能，仕様変更機能のうちの１または複数の機能）を実行する。この際、図２，図４の（ａ）及び（ｂ）に示すような対応テーブル７ａ，２７ａが設定されている場合には、その発信元番号に合った１つの所定の機能を実行する。一方、図２，図４の（ｃ）に示すように１つの発信元番号に対して複数の所定の機能が対応しているような対応テーブル７ａ，２７ａが設定されている場合、その発信元番号に合った複数の所定の機能を一連的に行っても良いし、それらの複数の機能から選択した機能のみを行うようにしても良い。この所定の機能を実行した後、回線を開放して（ステップＳ１８）、処理は終了する。
【００３４】
取得した発信元番号が登録されている発信元番号の何れにも一致しない場合（Ｓ１４：ＮＯ）、または、登録されているパスワードが入力されない場合（Ｓ１６：ＮＯ）、何れの機能も実行せずにその回線を開放して（Ｓ１８）、処理は終了する。
【００３５】
発信元番号の取得（Ｓ２，Ｓ１２）をするための方式及び手順は、国，地域，電話会社などによって異なるが、着信に応答する前に発信元番号を取得することができれば、本発明を適用することができる。
【００３６】
また、留守番電話機の場合、パスワードの要求（Ｓ７，Ｓ１５）は留守番電話機から音声メッセージを送出し、発呼者に対してＤＴＭＦによる入力を要求することにより行う。しかし、ファクシミリ装置の場合、発呼側が自動送信することもあるので、音声メッセージによりＤＴＭＦの入力を求めることができない。発呼側から到来する通信手順信号には、発信元を示す信号（ＴＳＩ信号），パスコード信号（ＰＷＤ信号）が含まれていることがあるので、一旦通信手順を開始した後、これらをパスワードとして代用することができる。
【００３７】
【発明の効果】
以上のように、本発明の通信端末装置では、取得した発信元番号と登録しておいた番号とが一致する場合に、所定の機能を外部から利用できるようにしたので、取得した発信元番号をパスワードと見なした処理を行え、極めて簡易に所定の機能を外部から利用でき、パスワードをうっかり忘れた場合にも対応可能である。
【００３８】
本発明の他の通信端末装置では、取得した発信元番号と登録しておいた番号とが一致し、しかも、正しいパスワードが入力された場合にのみ、所定の機能を外部から利用できるようにしたので、発信元番号の照合とパスワード入力との併用により、他人が所定の機能を無断で利用することを完璧に防止でき、高い安全性を実現できる。
【００３９】
本発明の更に他の通信端末装置では、発信元番号と所定の機能とを１対１，１対複数または複数対１で対応させておくようにしたので、取得した発信元番号が登録されている番号に一致した場合、その番号に対応する所定の機能を必然的に利用でき、機能選択のための操作が不要である。
【図面の簡単な説明】
【図１】本発明に係る通信端末装置の一例である留守番電話機の構成を示すブロック図である。
【図２】留守番電話機における対応テーブルの一例を示す図である。
【図３】本発明に係る通信端末装置の他の例であるファクシミリ装置の構成を示すブロック図である。
【図４】ファクシミリ装置における対応テーブルの一例を示す図である。
【図５】本発明の第１例（請求項１）における動作手順を示すフローチャートである。
【図６】本発明の第２例（請求項２）における動作手順を示すフローチャートである。
【符号の説明】
１  主制御部
６  記憶媒体
７ａ  対応テーブル
２１  主制御部
２７ａ  対応テーブル
２８  画像メモリ
【図１】
0004171111.tif 000002
【図２】
0004171111.tif 000003
【図３】
0004171111.tif 000004
【図４】
0004171111.tif 000005
【図５】
0004171111.tif 000006
【図６】
0004171111.tif 000007